(57)【要約】      （修正有）【課題】施工性に優れると共に躯体の固定を確実にし、壁面内方向の変形に追従できる間仕切壁用の取付金具及びこれを用いた壁構造を提供する。【解決手段】ＡＬＣパネルＰを床上面Ｆ１に固定させる取付金具１０であって、ＡＬＣパネルＰの下端小口面に設けられた有底穴に嵌合する棒状部材１５を中央部に備え且つ下端小口面に部分的に当接した状態でＡＬＣパネルＰを支持する矩形板状のパネル支持部１１と、パネル支持部１１の４辺のうちの３辺からそれぞれ下方に延在する同じ高さの３つの脚部１２とからなり、脚部はその下端部１４ａがパネル支持部１１に対して平行となるように外側に向かって屈曲しており且つ下端部１４ａを床上面Ｆ１に打鋲ピンやアンカーで定着させる打鋲ピン用ケガキ及びアンカー用の挿通孔が設けられている。【選択図】図３
2015212510.tif 000002
【特許請求の範囲】
【請求項１】
ＡＬＣパネルを床上面に固定させる取付金具であって、ＡＬＣパネルの下端小口面に設けられた有底穴に嵌合する棒状部材を中央部に備え且つ該下端小口面に部分的に当接した状態でＡＬＣパネルを支持する矩形板状のパネル支持部と、該パネル支持部の４辺のうちの３辺からそれぞれ下方に延在する同じ高さの３つの脚部とからなり、該３つの脚部のうち互いに対向する２つの脚部を除く１つの脚部は、その下端部が該パネル支持部に対して平行となるように外側に向かって屈曲しており且つ該下端部を床上面に打鋲ピン又はアンカーで定着させるため、該下端部は両隅部に打鋲ピン用ケガキを有しており且つ両ケガキの中央部にアンカー用の１つの挿通孔が設けられていることを特徴とする取付金具。
【請求項２】
前記棒状部材の先端には可撓性部材からなるキャップが嵌装されていることを特徴とする、請求項１に記載の取付金具。
【請求項３】
前記パネル支持部には上側に突出する突出片が設けられていることを特徴とする、請求項１または２に記載の取付金具。
【請求項４】
請求項１〜３のいずれか１項に記載の取付金具を用いてＡＬＣパネルの下端小口面を躯体面上に支持することを特徴とするＡＬＣパネルの壁構造。
【発明の詳細な説明】
【技術分野】
【０００１】
本発明は軽量気泡コンクリート（ＡＬＣ）製のパネルを建築物の躯体に取り付けて間仕切壁を構成する際に使用する間仕切壁用の取付金具及びこれを用いた壁構造に関する。
【背景技術】
【０００２】
ＡＬＣパネル等の壁パネルを建築物の躯体に取り付けて間仕切壁を構成する壁構造には、従来から様々なものが提案されている。例えば耐震性に優れた壁構造としていわゆるロッキング構造が知られている。ロッキング構造は、各壁パネルをその上下両端部にそれぞれ設けた取付金具を介して躯体の床面に揺動可能に取り付けるものであり、地震で躯体が変形したときに当該取付金具を支点として壁面方向に壁パネルを揺動させることで地震の際の壁パネルの破損や落下を防ぐことができる。
【０００３】
例えば特許文献１には、ＡＬＣパネルの下端小口面側にアンカーを予め埋設しておき、このアンカーに断面コの字状の取付金具をボルトを介して結合させた後、この取付金具を建物土台に設けられた金属プレートに溶接することでロッキング構造を形成することが示されている。また、特許文献２には、ＡＬＣパネルの下端小口面側に穿孔された取付孔に取付金具を挿入し、基礎の上面に設置された下地鋼材に溶接固定してロッキング構造を形成することが示されている。
【先行技術文献】
【特許文献】
【０００４】
【特許文献１】特開２００９−０９７１８４号公報
【特許文献２】特開平１０−２６６４３３号公報
【発明の概要】
【発明が解決しようとする課題】
【０００５】
しかしながら、上記した特許文献１の取付金具はＡＬＣパネルの下端小口面及び建物土台にそれぞれボルト及び溶接で固定する構造であるため、施工に手間がかかることがあった。また、特許文献１及び２は、床上に取り付ける場合は溶接箇所がＡＬＣパネルに隠れてしまうため施工後の取り付け状態の目視確認がしづらく、確実に固定されないままになることがあった。さらに金物を重ねて収納することが出来ないため、大量の金物を施工現場に納品する際にかさばることが問題になることがあった。本発明は、上記した従来の問題点に鑑みてなされたものであり、施工性及び収納性に優れると共に、施工状態の確認が行い易く結果的に躯体に確実に取付けることができる間仕切壁用の取付金具及びこれを用いた壁構造を提供することを目的とする。
【課題を解決するための手段】
【０００６】
上記目的を達成するため、本発明が提供するＡＬＣパネルの取付金具は、ＡＬＣパネルを床上面に固定させる取付金具であって、ＡＬＣパネルの下端小口面に設けられた有底穴に嵌合する棒状部材を中央部に備え且つ該下端小口面に部分的に当接した状態でＡＬＣパネルを支持する矩形板状のパネル支持部と、該パネル支持部の４辺のうちの３辺からそれぞれ下方に延在する同じ高さの３つの脚部とからなり、該３つの脚部のうち互いに対向する２つの脚部を除く１つの脚部は、その下端部が該パネル支持部に対して平行となるように外側に向かって屈曲しており且つ該下端部を床上面に打鋲ピン又はアンカーで定着させるため、該下端部は両隅部に打鋲ピン用ケガキを有しており且つ両ケガキの中央部にアンカー用の１つの挿通孔が設けられていることを特徴としている。
【発明の効果】
【０００７】
本発明によれば、ＡＬＣパネルを床上面に固定する際の施工性及び収納性に優れると共に、コンクリート床等の躯体に確実に固定できる壁構造にすることができる。
【図面の簡単な説明】
【０００８】
【図１】本発明の取付金具の一具体例の斜視図である。
【図２】図１の取付金具の平面図（ａ）、正面図（ｂ）及び側面図（ｃ）である。
【図３】図１の取付金具を介してＡＬＣパネルの下部が床上面に固定されている状態を示す側面図である。
【図４】本発明の取付金具が具備する棒状部材の固定方法の具体例を示す側面図である。
【図５】ＡＬＣパネルの上部が従来の上部取付金具を介して上階の床下面に取付けられている状態を示す側面図である。
【図６】本発明の取付金具の他の具体例の斜視図である。
【発明を実施するための形態】
【０００９】
以下、図１及び図２を参照しながら本発明に係るＡＬＣパネルの取付金具の一具体例について説明する。この図１及び図２に示す本発明の一具体例の取付金具１０は、ＡＬＣパネルをその下端小口面に部分的に当接した状態で支持する例えば縦８０ｍｍ×横５０ｍｍの矩形板状のパネル支持部１１と、このパネル支持部１１の４辺のうち３辺からそれぞれ下方に延在する３つの脚部１２、１３、１４とを有している。これら３つの脚部はすべて高さが同じであり、これによりパネル支持部１１を躯体の床上面から離間させた状態で水平に支持することができる。
【００１０】
具体的には、脚部１２及び１３はパネル支持部１１の長手方向の両端部からそれぞれ鉛直方向に例えば１０ｍｍ延在しており、パネル支持部１１と併せて断面コの字状を形成している。一方、脚部１４はパネル支持部１１の長手方向に沿って延在する１つの辺から斜め下方向に脚部１２及び１３と同じ高さで（すなわち、上記した脚部１２及び１３の高さが１０ｍｍの場合は１０ｍｍ）延在している。
【００１１】
この脚部１４の下端部は、パネル支持部１１に対して平行となるように外側に向かって即ちパネル支持部１１から離間する方向に屈曲し、例えば縦１００ｍｍ×横６０ｍｍの矩形の水平下端部１４ａを形成している。この水平下端部１４ａには該水平下端部１４ａを床上面に火薬式の打鋲ピン又は拡張式のコンクリートアンカーで定着させるため、該打鋲ピン用ケガキ１４ｂが水平下端部１４ａの両隅部に設けられており、且つこれら両ケガキ１４ｂの中央部にはアンカーを挿通させる例えば内径９ｍｍの挿通孔１４ｃが１つ設けられている。これにより、図３に示すように取付金具１０を床上面Ｆ１に取り付ける際、水平下端部１４ａを全面に亘って床上面Ｆ１に当接させた状態で取付金具１０を１本のアンカー１８若しくは２本の打鋲ピン又はこれらアンカー１８と打鋲ピンの両方で床上面Ｆ１に固定することができる。なお、上記のケガキ部分を打鋲ピンで打ち抜き固定するため、水平下端部１４ａは例えば厚さ２.３ｍｍの薄板で形成するのが望ましい。
【００１２】
パネル支持部１１の中央部には、ＡＬＣパネルの下端小口面に設けられた有底穴に嵌合する例えば外径１６ｍｍ×高さ９０ｍｍの棒状部材１５が上方に突出するように設けられている。この棒状部材１５は、限定するものではないが、パネル支持部１１の中央部に貫通孔を設け、ここに棒状部材１５の下端部に形成した雄ネジ部を挿通させて下側からナット１６を螺合することでパネル支持部１１に固定することができる。棒状部材１５の上端部にはゴムなどの弾性体で形成された例えば外径２０ｍｍのキャップ１７が嵌装されており、これにより棒状部材１５をＡＬＣパネルの上記有底穴に嵌める時や地震でＡＬＣパネルが揺動する時に棒状部材１５のメッキが剥離するのを防ぐことができる。
【００１３】
上記した取付金具１０は例えば下記の方法で作製することができる。例えば厚み２.３ｍｍの矩形の板状部材を用意し、その長手方向の一方の端部側の２つの隅部近傍に打鋲ピン用のケガキを設けると共にそれらの中央部にアンカー挿通用の貫通孔を穿孔し、もう一方の端部側の幅方向中心部に棒状部材の固定用の貫通孔を１つ穿孔する。次に、この矩形の板状部材の長手方向に沿って延在する２つの縁部の各々略中央部に略Ｖ字状の切り込みを入れる。そして、各縁部においてその一端部から上記切り込みまでの帯状部分を直角に折り曲げて１対の対向する脚部を形成する。
【００１４】
次に、上記にて形成した１対の対向する脚部の高さと同じ高さを有し且つ水平な下端部を備えた脚部を形成すべく、２つの切り込みの最も深く切り込まれた箇所同士を適切な傾斜角度で山折りすると共に、２つの切り込みの端部同士を該山折りの傾斜角度と同じ傾斜角度で谷折りする。最後に、上端部にキャップが嵌装された棒状部材の雄ネジ部を上記した棒状部材の固定用の貫通孔に挿通し、下側からナットで螺合する。これにより、図１及び図２に示すような取付金具１０を形成することができる。
【００１５】
なお、棒状部材１５をパネル支持部１１に固定する方法は上記方法に限定されるものではなく、例えば図４（a）に示すように、棒状部材１５の下端部に形成した雄ネジ部が挿通できる大きさの貫通孔をパネル支持部１１の中央部に設けると共に、該中央部の上面側に棒状部材１５の雄ネジ部が螺合するナット１６を取り付けておいてもよい。これにより、ナット１６に棒状部材１５の雄ネジ部を螺合する際の作業性が向上する。但し、この場合は溶接などの固定手段で予めナット１６をパネル支持部１１の上面側に固定しておくことが必要になる。
【００１６】
あるいは図４（ｂ）に示すように、棒状部材１５の雄ネジ部に螺合させるナットに座付ナット３６を用いてもよい。この場合は、パネル支持部１１の中央部に座付ナット３６のナット部分が隙間なく嵌挿される大きさの貫通孔を設けることで、該ナット部に棒状部材１５の雄ネジ部を螺合する際に該貫通孔に下側から嵌め込まれた座付ナット３６の回転を防止できるので作業性が向上する。なお、この場合も座部分（フランジ部）をパネル支持部１１の下面側に溶接などの固定手段で予め固定しておくことが必要になる。
【００１７】
上記のように図４（a）又は（ｂ）の固定方法を採用することで螺合時の作業性が向上することに加えて、ナット部分がパネル支持部１１の上面側に位置することになるので螺合された雄ネジ部の先端をナット部分から下側に十分に突出させることができる。これにより、棒状部材１５とパネル支持部１１との確実で十分な螺合が実現でき、万一緩んでも両者が簡単に外れることがなくなる。
【００１８】
すなわち、ＡＬＣパネルを建築物の躯体に取り付ける際、ＡＬＣパネルの下端小口面の取付孔に取付金具を木槌等で叩いて挿入するため、その衝撃等で螺合部が緩み、その後ＡＬＣパネルを施工箇所に台車やクレーン等で運搬する際にパネル支持部１１のみが振動等で回転して棒状部材１５から外れる場合があった。このような場合でも、パネル支持部１１が３〜４回回転した程度では外れることはないので、パネル支持部１１がＡＬＣパネルから外れるトラブルを防ぐことができる。
【００１９】
上記した本発明の一具体例の取付金具１０を使用して間仕切壁としてのＡＬＣパネル（厚み１００ｍｍ×横６００ｍｍ×縦４５００ｍｍ）を縦使いにより建築物の躯体に取り付ける施工方法について図３を参照しながら説明する。先ず、キャップ１７が嵌装された棒状部材１５の雄ネジ部をパネル支持部１１の貫通孔に挿通させてナット１６で固定して取付金具１０を組み立てる。そして、この取付金具１０の棒状部材１５をＡＬＣパネルＰの下端小口面の取付孔に挿入し、クレーンなどでＡＬＣパネルＰを立て起こしてコンクリート床などの床面に設置する。その際、ＡＬＣパネルＰを設置した時に取付金具１０の水平下端部１４ａがＡＬＣパネルＰの面外方向側（図中、白矢印で示す）に下端小口面の真下の領域からはみ出るように設置する。
【００２０】
次に、水平下端部１４ａに設けられた挿通孔１４ｃにアンカーを挿通させてコンクリート床に固定することで取付金具１０を介してＡＬＣパネルＰの下部をコンクリート床に固定することができる。このように、本発明の一具体例の取付金具１０は、パネル支持部１１の上面でＡＬＣパネルＰの下端小口面の長辺方向中央部を部分的に当接した状態でＡＬＣパネルＰを支持することができ、地震の時は、ＡＬＣパネルＰに発生する面外方向の力に対して棒状部材１５が抵抗となり、面内方向の加力に対してはここを支点として変形に追従し揺動する。
【００２１】
ＡＬＣパネルＰの上部の固定方法は特に限定はないが、例えば図５に示すように、先ず、上階の床下面Ｆ２に定規アングル（Ｌ６５×６５）２１をボルト・ナットなどで取り付けておく。そして、ＡＬＣパネルＰの上部の横方向中央部に断面Ｚ型の上部取付金物２２の一端部を予めＡＬＣパネルＰの上部の横方向中央部に埋設しておいたパイプアンカー２３にボルト２４を螺合させることで取付ける。そして、上部取付金物２２の他端部を上記した定規アングル２１の鉛直部に溶接などにより固定する。これによりＡＬＣパネルＰの上部を上階の床下面Ｆ２に固定することができる。なお、ＡＬＣパネルＰの下部の短辺小口と床面とのクリアランス部や、ＡＬＣパネルの上部の短辺小口と定規アングル水平部とのクリアランス部には、必要に応じてロックウールなどの耐火目地材２５を充填する。
【００２２】
以上説明したように、本発明の一具体例の取付金具は、その製作やそれを用いた壁パネルの取り付けに特殊な工具や機材を使用する必要がなく、また、その床上面への固定に際して溶接作業を必要としないので、従来の取付金具や壁構造と比べて施工性に優れている。また、本発明の取付金具は、ＡＬＣパネルとの係合にネジなどの揺動の制約となる結合手段を用いていないので、本発明の取付金具を介してＡＬＣパネルを床面に取り付けることによって、地震により建物躯体に変形が生じても、パネル支持部の棒状部材を支点としＡＬＣパネルを回動若しくは揺動させて変形に追従させることが可能になる。また、棒状部材を取り付ける前の状態であれば金物を重ねて収納することが出来るので、大量の金物をかさばることなく施工現場に納品することができる。
【００２３】
次に、図６を参照しながら本発明に係るＡＬＣパネルの取付金具の他の具体例について説明する。この図６に示す本発明の他の具体例の取付金具１１０は、図１に示す本発明の一具体例の取付金具１０と同様にＡＬＣパネルをその下端小口面に部分的に当接した状態で支持する矩形板状のパネル支持部１１１と、このパネル支持部１１１の４辺のうち３辺からそれぞれ下方に延在する３つの脚部１１２、１１３、１１４とを有しており、脚部１１４は屈曲する下端部１１４ａにケガキ１１４ｂ及び挿通孔１１４ｃが設けられており、また、パネル支持部１１１の中央部にはキャップ１１７が嵌装された上方に突出する棒状部材１１５が例えばパネル支持部１１１の下側のナット１１６で固定されている。
【００２４】
図６に示す本発明の他の具体例の取付金具１１０は、さらにパネル支持部１１１に上側に突出する略矩形形状の突出片１１９が設けられている。この突出片１１９は、取付金具１１０をＡＬＣパネルの下端小口面に取り付ける際に、該下端小口面側からＡＬＣパネル内部に打ち込まれるため、パネル支持部１１１をより確実に固定することができる。その結果、この本発明の他の具体例の取付金具１１０は、上記した本発明の一具体例の取付金具１０により得られる効果に加えて、前述したようにＡＬＣパネルの下端小口面の取付孔に取付金具１１０を木槌等で叩いて挿入する際の衝撃等で螺合部が緩んでも、ＡＬＣパネルの下端小口面に打ち込まれた突出片１１９がストッパーの役割をするので、パネル支持部１１のみが回転することがほとんどなくなる。
【００２５】
突出片１１９の形状は図６に示す矩形形状に限定されるものではなく、三角形状、富士山形状、半円形状などの凸形状でもよい。これらの形状であれば、取付金具１１０をＡＬＣパネルに取り付けるべく棒状部材１１５をＡＬＣパネルの下端小口面の取付孔に挿入する際に、木槌等の一般的な工具を用いて容易に突出片１１９をＡＬＣパネルの下端小口面から打ち込むことができる。上記した形状の突出片１１９は、例えばパネル支持部１１１に上記凸形状の切り込みを入れ、この凸形状部分を９０°上側に折り曲げることにより簡易に形成することができる。
【符号の説明】
【００２６】
１０、１１０    取付金具
１１、１１１    パネル支持部
１２、１１２    脚部
１３、１１３    脚部
１４、１１４    脚部
１４ａ、１１４ａ    水平下端部
１４ｂ、１１４ｂ    ケガキ
１４ｃ、１１４ｃ    挿通孔
１５、１１５    棒状部材
１６、１１６    ナット
１７、１１７    キャップ
１８    アンカー
２１    定規アングル
２２    上部取付金具
２３    パイプアンカー
２４    ボルト
２５    耐火目地材
３６    座付ナット
１１９  突出片
Ｐ      ＡＬＣパネル
Ｆ１    床上面
Ｆ２    床下面
【図１】
2015212510.tif 000003
【図２】
2015212510.tif 000004
【図３】
2015212510.tif 000005
【図４】
2015212510.tif 000006
【図５】
2015212510.tif 000007
【図６】
2015212510.tif 000008